(57)【要約】【目的】商品が落下するおそれのない陳列用商品包装袋を提供すること。【構成】この発明の陳列用商品包装袋は、本体１の上方にヘッダー２を設けて吊り下げられるようにした陳列用商品包装袋であって、本体１に比較的厚みのある商品を包装できるように折目３を形成するとともに、本体１の上部に商品を出し入れするための開口部４を設け、底部５を開閉しないようにしている。ヘッダー２は、本体１の後面側の上方に延びる延設部分９に設けられたものとし、この延設部分９のヘッダー２の下方に設けた前方に突出する目隠し片１１で、本体１の開口部４を覆うようにすることができる。また、本体１を構成する長尺なフィルムをガゼット折りにした部分を底部５としたものとすることができる。【選択図】  図２
2004175407.tif 000002
【特許請求の範囲】
【請求項１】
本体（１）の上方にヘッダー（２）を設けて吊り下げられるようにした陳列用商品包装袋であって、本体（１）に比較的厚みのある商品を包装できるように折目（３）を形成するとともに、本体（１）の上部に商品を出し入れするための開口部（４）を設け、底部（５）を開閉しないようにしていることを特徴とする陳列用商品包装袋。
【請求項２】
ヘッダー（２）は、本体（１）の後面側の上方に延びる延設部分（９）に設けられたものとし、この延設部分（９）のヘッダー（２）の下方に設けた前方に突出する目隠し片（１１）で、本体（１）の開口部（４）を覆うようにしている請求項１記載の陳列用商品包装袋。
【請求項３】
本体（１）を構成する長尺なフィルムをガゼット折りにした部分を底部（５）としている請求項１又は２記載の陳列用商品包装袋。
【発明の詳細な説明】
【０００１】
【発明の属する技術分野】
この発明は、弁当箱、衣類、タオル類、玩具、その他適宜の日用雑貨等の商品を包装し、陳列するための陳列用商品包装袋に関するものである。
【０００２】
【従来の技術】
従来より、透明な表面側のフィルムと裏面側のフィルムで本体を構成し、本体の上方に孔の付いたヘッダーを設けることにより、日用雑貨等の商品を収容し、吊り下げて陳列するようにした陳列用商品包装袋が使用されている（例えば、特許文献１参照）。
【０００３】
この種の包装袋は、商品を出し入れするための開口部が底部に設けられていた。そのため、本体に比較的厚みのある商品を収容するように構成した場合、商品の重みで開口部が開いて商品が落下するおそれがあり、底部に複数の留め具を設ける等、強固に開口部を閉じた状態にするための手段を設ける必要があった。
【０００４】
また、強固に開口部を閉じた状態にするための手段を設けたとしても、子供等が誤って開口部を開けて商品を落下させてしまう恐れもあり、十分な商品の落下防止策を講じることができなかった。
【０００５】
【特許文献１】
実開昭５２−１５９８１２号公報
【０００６】
【発明が解決しようとする課題】
そこで、この発明は、商品が落下するおそれのない陳列用商品包装袋を提供することを課題とする。
【０００７】
【課題を解決するための手段】
前記課題を解決するため、この発明は次のような技術的手段を講じている。
【０００８】
この発明の陳列用商品包装袋は、本体１の上方にヘッダー２を設けて吊り下げられるようにした陳列用商品包装袋であって、本体１に比較的厚みのある商品を包装できるように折目３を形成するとともに、本体１の上部に商品を出し入れするための開口部４を設け、底部５を開閉しないようにしている。
【０００９】
ヘッダー２は、本体１の後面側の上方に延びる延設部分９に設けられたものとし、この延設部分９のヘッダー２の下方に設けた前方に突出する目隠し片１１で、本体１の開口部４を覆うようにすることができる。
【００１０】
また、本体１を構成する長尺なフィルムをガゼット折りにした部分を底部５としたものとすることができる。
【００１１】
【発明の実施の形態】
以下、この発明の実施の形態を、図面を参照して説明する。
【００１２】
この発明の陳列用商品包装袋は、本体１の上方にヘッダー２を設けて吊り下げられるようにした陳列用商品包装袋であって、本体１に比較的厚みのある商品を包装できるように折目３を形成するとともに、本体１の上部に商品を出し入れするための開口部４を設け、底部５を開閉しないようにしたものである。
【００１３】
図１はこの発明の実施形態の陳列用商品包装袋で、開口部４を閉じた状態の斜視図、図２は開口部４を開いた状態の斜視図、図３は、畳んだ状態の斜視図である。
【００１４】
この陳列用商品包装袋は、ポリプロピレンその他適宜の合成樹脂製フィルムからなるものとしている。本体１は透明で、収容した商品が見えるようになっているが、不透明なものとしてもよい。
【００１５】
本体１は、長尺な略長方形状のフィルムを、長尺方向の中央付近において短尺方向に３本の折目を形成し、この折目でＷ字状に折ることによりガゼット折りにし、フィルムの両側部を熱溶着等により接着してなるものとしている。
【００１６】
前記ガゼット折りにした部分が本体１の底部５となり、開放している上部が商品を出し入れするための開口部４となる。
【００１７】
なお、この実施形態では、図３に示したように、商品を収容する前の畳んだ状態において、本体１の底部５が逆台形状となるように、本体１を構成するフィルムは、底部５となる部分の両側にそれぞれ２つの三角形の切欠部を連接したような形状としている。
【００１８】
また、上部には、切れ込みを形成して前面側、左右各側面側のフラップ６，７，８と、後面側の延設部分９を形成している。前面側に位置するフラップ６には係合具１０ａを設けている。係合具１０ａは、後述の目隠し片１１に設けられる係合具１０ｂと係合するものである。係合具１０ａと係合具１０ｂは、一対のホックとしているが、これに限定されない。
【００１９】
本体１は、側面視において底部５をＷ字状からＵ字状に変形させ、平面視において底部５が四角形状になるように折目３を付けて本体１を折り曲げることにより、図１、図２に示したような、厚みのある商品を収容可能な略直方体状になる。
【００２０】
ヘッダー２は、本体１の後面側の上方に延びる延設部分９に設けられたものとしている。ヘッダー２は、延設部分９を本体１の上方で前面側に折り、その上端から適宜幅の位置で表裏接着して構成される。
【００２１】
ヘッダー２は、商品の名称や適宜の模様を印刷したものとすることができる。ヘッダー２の中央には孔１２が形成されており、孔１２を利用してこの包装材を吊り下げることができる。
【００２２】
さらに延設部分９は、ヘッダー２の下方に延び、この部分で目隠し片１１を構成している。目隠し片１１は、前方斜め下方向に突出し、開口部４を覆うようにしている。目隠し片１１には、前述の前面側のフラップ６に設けられる係合具１０ａと係合する係合具１０ｂが設けられている。目隠し片１１は、不透明ないし適宜の模様や文字が印刷されたものとしており、透けないようにしているので、この陳列用商品包装袋を閉じた状態では、図１に示したように、前面側から開口部４の様子は見えない。
【００２３】
この陳列用商品包装袋は、以上のように、商品を出し入れする開口部４が本体１の上部に位置し、底部５が開閉しない構成であるため、厚みのある商品を収容しても、重みで商品が底部５から抜け落ちることがない。
【００２４】
また、開口部４は、目隠し片１１により覆われるため、上方に位置しても見た目がすっきりとしており、見栄えがよい。
【００２５】
図４は、この発明の他の実施形態の陳列用商品包装袋の斜視図、図５は、その畳んだ状態の斜視図である。
【００２６】
この包装袋は、裏側に接着剤１３を塗布した上蓋部１４で開口部４を開閉自在に覆うようにしたものである。接着剤１３は、繰り返し剥離、接着可能なものを用いる。上蓋部１４は、本体１の後面側の上方に延びる延設部分９のヘッダー２の下方に形成した部分である。なお、この実施形態では、ヘッダー２は、適宜の文字や模様の印刷を施した紙製のラベルをフィルムの上に貼り付けたものとしている。この構成は、前述の実施形態でも同様とすることができる。
【００２７】
この包装袋の本体１は、前述の実施形態と同様に、長尺な略長方形状のフィルムを、底部５となる長尺方向の中央付近において短尺方向に３本の折目を形成し、この折目でＷ字状に折ることによりガゼット折りにし、フィルムの両側部を熱溶着等により接着してなるものとし、側面視において底部５をＷ字状からＵ字状に変形させ、平面視において底部５が四角形状になるように折目３を付けて本体１を折り曲げることにより、図４に示したような、厚みのある商品を収容可能な略直方体状になるようにしている。
【００２８】
なお、この実施形態では、本体１を構成するフィルムの両側部には切欠部を形成しておらず、商品を収容する前の畳んだ状態においては、図５に示したように、本体１の底部５の左右角部が直角となるようにしているが、前述の実施形態と同様とすることもできる。また、本体１のその他の部分については、前述の実施形態と同様としている。
【００２９】
この陳列用商品包装袋も、以上のように、商品を出し入れする開口部４が本体１の上部に位置し、底部５が開閉しない構成であるため、厚みのある商品を収容しても、重みで商品が底部５から抜け落ちることがない。
【００３０】
【発明の効果】
この発明の陳列用商品包装袋は、上述のような構成を有しており、商品を出し入れする開口部４が本体１の上部に位置し、底部５が開閉しないため、商品が落下するおそれがない。
【図面の簡単な説明】
【図１】この発明の実施形態の陳列用商品包装袋の、開口部を閉じた状態の斜視図。
【図２】この発明の実施形態の陳列用商品包装袋の、開口部を開いた状態の斜視図。
【図３】この発明の実施形態の陳列用商品包装袋を畳んだ状態の斜視図。
【図４】この発明の他の実施形態の陳列用商品包装袋の、開口部を開いた状態の斜視図。
【図５】この発明の他の実施形態の陳列用商品包装袋を畳んだ状態の斜視図。
【符号の説明】
１  本体
２  ヘッダー
３  折目
４  開口部
５  底部
９  延設部分
１１  目隠し片
【図１】
2004175407.tif 000003
【図２】
2004175407.tif 000004
【図３】
2004175407.tif 000005
【図４】
2004175407.tif 000006
【図５】
2004175407.tif 000007